(57)【要約】      （修正有）【課題】１つのファンを使用するだけで同時に室内に冷風を送り、室外に熱風を排出でき、体積を縮小し、輸送コストと材料コストを節約できるだけでなく、空調装置のエネルギー効率比率を向上し、且つ省エネの効果を達することができる、単一遠心ファン空調装置の提供。【解決手段】単一遠心ファン空調装置Ａは、ファンＢ、エアダクトＢ３、冷却システムＤを備え、前記ファンが別途設けたモーターＥにより駆動され、且つ前記エアダクト上に順序に従い熱風送風口Ｃ２と冷風送風口Ｃ１が設置され、単一の遠心ファンを用いた構造により、体積の縮小と材料コストの節約を達成することができ、且つ機動性が高く、随時移動させることができる移動式の空調装置とすることができる。【選択図】図２
0003140145.tif 000002
【実用新案登録請求の範囲】
【請求項１】
単一遠心ファン空調装置であって、前記空調装置が、
室外に向かって熱風を排出するための熱風送風口と、
室内に向かって冷風を排出するための冷風送風口と、
別途設けたモーターにより駆動されるファンと、
前記冷風送風口と前記熱風送風口が順序に従い設置されたエアダクトと、
冷却に用いる冷却端と、放熱に用いる放熱端を含む冷却循環システムと、
を含むことを特徴とする、単一遠心ファン空調装置。      
【請求項２】
前記ファンが第一インペラと第二インペラに分けることができ、且つ、前記第一インペラと第二インペラの直径と幅が使用上の必要に応じて自由に設定可能であり、且つ、前記第一インペラと第二インペラの間の結合箇所に冷たい空気と熱い空気を阻隔するためのインペラ仕切板を設けることができ、そのうち、前記第二インペラ上に固定装置を設置し、前記固定装置が前記ファンを前記モーター上に固定するために用いられることを特徴とする、請求項１に記載の単一遠心ファン空調装置。
【請求項３】
前記冷却端が冷風送風口の周囲に設けられ、前記放熱端が熱風送風口を囲んで設けられ、且つ、前記冷却端の下に接水部を設置し、前記放熱端の下方に前記接水部からの結露した水を収集するための集水部を設けたことを特徴とする、請求項１に記載の単一遠心ファン空調装置。     
【請求項４】
前記集水部上に水飛ばしモーターを設置し、前記水飛ばしモーターに接続された水飛ばしファンを駆動して前記集水部中の結露した水を前記熱風送風口内に飛ばすために用いられることを特徴とする、請求項３に記載の単一遠心ファン空調装置。
【請求項５】
前記集水部上にさらに汲み出しモーターを設け、且つ、センサーを設置し、前記集水部の集水水位線があらかじめ設定した高さに達すると、ポンプを駆動して管路から外部に排水するために用いられることを特徴とする、請求項３に記載の単一遠心ファン空調装置。       
【請求項６】
前記単一遠心ファン空調装置がさらに、取り外し可能な後方カバーと台座を備え、前記台座がその上に機体全体を置いて設置するために用いられ、前記台座上に移動に便利なように複数のキャスターを設置することができ、且つ、熱風送風口の外側に排風管を接続して設け、外部に向かって熱風を排出するために用い、且つ、前記排風管、前記後方カバー、前記各キャスターを取り外すと、前記単一遠心ファン空調装置を窓に取り付け、窓取付け型の空調装置として使用できることを特徴とする、請求項１に記載の単一遠心ファン空調装置。
【請求項７】
前記単一遠心ファン空調装置の両側にそれぞれ第一吸入口と第二吸入口を設け、前記各吸入口が前記ファンに空気を取り込むために用いられ、且つ、前記各吸入口がそのうちのいずれか片側からのみ空気を取り込むこともでき、且つ、前記第一吸入口と前記第二吸入口に前記放熱端と前記冷却端をそれぞれ設置し、同時に前記エアダクト内に風隔離板を設置することができることを特徴とする、請求項１に記載の単一遠心ファン空調装置。       
【請求項８】
前記冷風送風口に冷風の方向調整に用いるスイングルーバーを設置することができ、且つ前記スイングルーバーが電気制御スイッチを介して制御されることを特徴とする、請求項１に記載の単一遠心ファン空調装置。
【考案の詳細な説明】
【技術分野】
【０００１】
本考案は空調装置に関し、特に、材料コストを抑えることができ、且つ省エネの単一遠心ファン空調装置に関する。
【背景技術】
【０００２】
空調システムはすでに現在家庭やオフィスで広く使用されており、エアコンはタイプに基づき通常分離型と一体型の２種類に分けることができる。分離型は室内機と室外機の２つの部分を含み、その原理は冷却システム全体が１つのダクトを介して熱を室外機へと送り、室外に向かって放出させ、且つ室内を冷却するものである。これは、室内機と室外機共にファンで冷気と熱気を拡散させる必要がある。一方で一体型は壁面に開設された窓に室内機と室外機が一体となったものを設置するものであり、室内機と室外機は方向が異なり、室内機は室内に向いており、室外機は室外に向いている。また、業者は移動可能な移動式の空調も開発しており、この空調は必要に応じて使用したい場所に移動させることができ、機動性が高く、例えば臨時の会議室など臨時に使用する場所で，最高の使用効率を発揮することができる。
【０００３】
しかしながら、上述の空調装置は使用時に次のような問題が確実に存在するため改善が必要である。従来の分離型空調装置は、２つのモーターで２つのファンを駆動し、２つのエアダクトをそれぞれ接続して冷風を室内へ送り、熱風を室外へ排出する必要がある。また、従来の窓用の一体型空調も、１つまたは２つのモーターに２つのファンを接続し、２つのエアダクトでそれぞれ冷風を室内へ送り、熱風を室外へ排出する必要がある。上述の従来の空調装置は装置の体積と使用する材料のコストのいずれも小さくする、または抑えることができない。
【０００４】
また、従来の空調装置には除湿機能が設置されているものもあるが、除湿機モードは時間の間断を利用して除湿の目的を達するのみであり、例えば、空調装置を１０分間運転した後、４分間停止させるなど、サイクルモードを採用して運転し、除湿機能を達成しており、またこのとき空調は冷却を行うため、空調装置の冷却により一部環境温度が下がり、真に現有技術で除湿機の機能を達することはできない。
【０００５】
このため、いかに上述の従来の問題と欠点を解決するかが、本考案の考案者及び関連産業のメーカーが改善に取り組む方向である。
【考案の開示】
【考案が解決しようとする課題】
【０００６】
ゆえに、本考案の考案者は上述の欠点に鑑みて、関連の資料を集めて多方面から評価を行い、且つ、関連産業に従事した長年の経験に基づき、絶え間ない試作と修正を経て、この単一遠心ファン空調装置の実用新案の開発に至ったものである。
【０００７】
本考案の主な目的は、前記空調装置内にファンとエアダクトを設置し、前記ファンが別途設けられたモーターにより駆動され、且つ、前記エアダクトに順序に従い熱風送風口と冷風送風口を設け、さらに冷却システムを設置した構造により、１つのファンを使用するだけで同時に室内に冷風を送り、室外に熱風を排出でき、体積を縮小し、輸送コストと材料コストを節約できるだけでなく、エネルギーが高騰しているこの現代で、１つのファンのみ使用して空調装置のエネルギー効率比率を向上し、且つ省エネの効果を達することができる、単一遠心ファン空調装置を提供することにある。
【０００８】
本考案の別の目的は、前記単一遠心ファン空調装置に後方カバー、台座、排風管を設け、前記排風管は発生する熱風を室外へと排出し、前記台座は機体全体を置くために用いられ、且つ、移動に便利なように前記台座に複数のキャスターを設置して機動性を高め、臨時会議室など各種臨時の場所に使用することができ、且つ、前記後方カバー、排風管、各キャスターを取り外すと、窓取付け型の空調装置とすることができる、単一遠心ファン空調装置を提供することにある。
【０００９】
本考案のさらに別の目的は、前記単一遠心ファン空調装置に冷風送風口を設け、前記冷風送風口にスイングルーバーを設置して冷風の方向調整に用いることができ、且つ、前記スイングルーバー電気制御スイッチで制御され、電気制御スイッチにより前記スイングルーバーが前記冷風送風口を閉じたとき、元々前記冷風送風口に送られた空気が、エアダクトに沿って回流し、熱風と混合された後、熱風送風口へと送られて前記熱風送風口から室外へと排出され、室内の温度を下げることなく、除湿機として使用することができる、単一遠心ファン空調装置を提供することにある。      
【課題を解決するための手段】
【００１０】
本考案の空調装置はファンとエアダクトを備え、前記ファンが別途設けられたモーターにより駆動され、且つ、前記エアダクトに順序に従い熱風送風口と冷風送風口を設け、さらに冷却システムと、取り外し可能な後方カバー、台座、排風管を設け、前記排風管は発生する熱風を室外へと排出し、前記台座は機体全体を置き、且つ、移動に便利なように複数のキャスターを取付けて機動性を高めるために用いることができ、さらに前記後方カバー、排風管、各キャスターを取り外すと、窓取付け型の空調装置とすることができると共に、前記冷風送風口に電気制御スイッチで制御されるスイングルーバーを設置する。
【考案を実施するための最良の形態】
【００１１】
上述の目的及び効果を達するため、本考案が採用する技術手段及び構造について、以下、本考案の最良の実施例と図面に基づきその特徴と機能を詳細に説明する。
【００１２】
図１、図２に本考案の最良の実施例の立体図、分解図をそれぞれ示す。図からはっきりと分かるように、本考案の単一遠心ファン空調装置Ａは、ファンＢ、エアダクトＢ３、筐体Ｃ、冷却循環システムＤを含み、前記ファンＢはモーターＥにより駆動され、前記エアダクトＢ３内の下端と上端の対角の両側に、熱風送風口Ｃ２と冷風送風口Ｃ１を順序に従い設置する。前記筐体Ｃは片側に後方カバーＣ３を設置し、前記後方カバーＣ３上の片側に、前記熱風送風口Ｃ２に対応し、室外に熱風を排出するとき室外に到達できるようにするための排風管Ｃ２１を設置することができ、同時に筐体Ｃの他方の側に対応して前記冷風送風口Ｃ１が設置され、室内に冷風を送り込むために用いられる。前記冷却循環システムＤは、コンプレッサＤ１を含み、冷却端Ｄ２は蒸発器であり、前記冷風送風口Ｃ１周囲に設置され、放熱端Ｄ３は凝縮器であり、前記熱風送風口Ｃ２周囲に設置される。前記コンプレッサＤ１の基本動作原理は現有技術と同じであるため、ここでは説明を省略する。且つ、筐体Ｃは両側に第一吸入口Ｃ４と第二吸入口Ｃ５を備え、且つ、本考案はさらに１つまたは複数の吸入口を設けて前記単一遠心ファン空調装置Ａの吸入量を増加することができ、必要に応じて前記エアダクトＢ３内の任意の位置に設置して、空調構造の設置をより多様にすることができる。本考案の単一遠心ファン空調装置Ａは、移動に便利なように、台座Ｃ７を設置して機体全体をその上に置き、且つキャスターＣ８を設置して移動に便利に用いることができる。
【００１３】
図３に本考案の最良の実施例の透視図を示す。本考案の単一遠心ファン空調装置Ａにおいて、前記コンプレッサＤ１の冷却端Ｄ２が前記冷風送風口Ｃ１から出てくる空気に接触し、且つ空気に対し冷却を行うとき、空気中の水分に対して凝縮を行うため、前記冷却端Ｄ２の下に例えば凹形槽などの接水部Ｃ９を設置し、且つ、前記放熱端Ｄ３下方の台座内に集水部Ｃ６を設け、接水部Ｃ９からの結露した水の収集に用いる。本考案の前記単一遠心ファン空調装置Ａは前記集水部Ｃ６上に水飛ばしモーターＥ１を設置し、接続された水飛ばしファンＢ７を駆動して、前記集水部Ｃ６中の結露した水を前記熱風送風口Ｃ２内へ飛ばす。這樣，本考案的前記単一ファン空調装置Ａは別途排水管を接続する必要がなく、空調装置の利便性がより向上される。
【００１４】
図４、図５に本考案の最良の実施例の局部を示す立体図及び側面図をそれぞれ示す。これらの図からはっきりと分かるように、前記ファンＢとモーターＥが接続され、且つ、モーターＥはファンＢ内に配置される。前記ファンＢのインペラは第一インペラＢ１と第二インペラＢ２に分けて設けることができ、且つ、前記第一インペラＢ１と第二インペラＢ２の直径は使用上の必要に応じて自由に設定し、適切な風量を得る。そのうち、前記第一インペラＢ１と第二インペラＢ２の間にインペラ仕切板Ｂ４を設置し、２つのエアダクトを形成して熱風と冷風が相互に行き来しないようにすることができる。さらに、前記インペラの第二インペラＢ２上に固定装置Ｂ５を設置し、前記固定装置Ｂ５はファンＢ全体を前記モーターＥ上に固定するために用いられる。
【００１５】
上述の構造、構成の設計により、本考案の使用時の作動状況を次に説明する。図６に本考案最良の実施例の実施例図一を示す。この図からはっきり分かるように、上述の部材の動作時は、モーターＥにより前記ファンＢが駆動されて回転し、前記ファンＢが風を吸入して同時に遠心力により風を熱風送風口Ｃ２と冷風送風口Ｃ１へ送り、本考案の空気の気流に対するサイクルが形成される。
【００１６】
図７に本考案の最良の実施例の実施例図二を示す。この図からはっきり分かるように、本考案は第一吸入口Ｃ４と第二吸入口Ｃ５の２つの吸入口を設けており、前記ファンＢは異なる経路で第一吸入口Ｃ４と第二吸入口Ｃ５の２つの吸入口の風を吸入する。前記モーターＥがファンＢを動かして回転させ、室内の空気が遠心力の下で前記冷風送風口Ｃ１を通り冷却端Ｄ２へと送られて冷却が行われ、前記熱風送風口Ｃ２を通り前記放熱端Ｄ３へと送られて放熱が行われる。
【００１７】
図８に本考案の最良の実施例の実施例図三を示す。この図からはっきり分かるように、本考案はさらに前記放熱端Ｄ３を第二吸入口Ｃ５の外側に設置し、前記冷却端Ｄ２を第一吸入口Ｃ４の外側に設置し、同時にエアダクトＢ３内に風隔離板Ｂ６を設置することもできる。前記風隔離板Ｂ６の設置で、冷却端Ｄ２を通過した空気が前記ファンＢの遠心作用の下でエアダクトＢ３内の風隔離板Ｂ６が隔てる半分の空間内を通過し、前記冷風送風口Ｃ１から送り出されるようにすると共に、放熱端Ｄ３の空気が前記ファンＢの遠心作用の下で前記エアダクトＢ３の風隔離板Ｂ６が隔てる他方の半分の空間内を通過し、前記熱風送風口Ｃ２から排出されるようにする。
【００１８】
図９に本考案の最良の実施例の実施例図四を示す。この図からはっきり分かるように、本考案の単一遠心ファン空調装置Ａは、さらに排風管Ｃ２１、及び筐体Ｃの後方カバーＣ３とキャスターＣ８を取り外し、窓取付け型空調設備用の取付けラック上に取り付け、前記単一遠心ファン空調装置Ａを窓に設置して窓取付け型空調設備として使用することもできる。
【００１９】
図１０、図１１に本考案の別の最良の実施例の実施例図と断面図をそれぞれ示す。この図からはっきり分かるように、本実施例の単一遠心ファン空調装置Ａと前述の実施例の違いは、前記熱風送風口Ｃ２上の排風管Ｃ２１が水平に設置されており、排風口が比較的低い位置での取り付けに適している点である。また、筐体Ｃ上の冷風送風口Ｃ１にはスイングルーバーＣ１１を設置し、冷風の方向調節と冷風送風口Ｃ１の閉鎖に用いることができる。本考案の単一遠心ファン空調装置Ａはさらに除湿効果も備えており、使用時は前記冷風送風口Ｃ１を閉じるだけでよく、スイングルーバーＣ１１を用いて閉鎖するか、制御スイッチを用いて閉じるようにすることができ、例えば前記冷風送風口管路内に開閉板を設置し、電気制御するようにしてもよい。このほか、本考案の単一遠心ファン空調装置Ａは、前記集水部Ｃ６上に汲み出しモーターＥ２を設置し、且つセンサーを設置して前記集水部Ｃ６の水位線の検知に用い、あらかじめ設定した高さに達すると、制御回路が汲み出しモーターＥ２を起動し、ポンプを駆動して管路を介し外部に排水するようにしてもよい。
【００２０】
以上の説明は本考案の最良の実施例に基づくものであり、本考案の特許範囲を制限するものではなく、本考案の明細書及び図面の内容を運用した簡易な修飾や同等効果を持つ構造変化はすべて本考案の特許範囲内に含まれるものとする。
【００２１】
添付のすべての図に示すように、本考案の使用時には、従来の技術と比較して、次のような利点が存在する。
一、本考案の単一遠心ファン空調装置Ａは、１つの前記モーターＥが１つの前記ファンＢを駆動して回転させる方式を採用し、同時に前記熱風送風口Ｃ２と前記冷風送風口Ｃ１に対し送風するという目的を達することができ、現有技術の前記熱風送風口Ｃ２と前記冷風送風口Ｃ１がそれぞれ個別のモーターＥとファンＢを用いて送風する方式と比較すると、部品コストを節約でき、空調装置の構造を簡素化し、空調装置の体積を縮小できると共に、１つのモーターＥを用いるのみであるため、省エネ効果も達することができる。
二、本考案の単一遠心ファン空調装置Ａは、除湿機して使用することもでき、使用時は前記冷風送風口Ｃ１を閉じるだけでよく、この閉鎖はスイングルーバーＣ１１を用いるか、例えば前記冷風送風口Ｃ１の管路内に開閉板を設置し、制御スイッチを用いて電気制御するなどとすることができる。一旦前記冷風送風口Ｃ１が閉じられると、本考案は前記単一ファン遠心空調装置Ａが動作するとき、空気中の湿気を凝縮して結露した水を形成し、前記水飛ばしファンＢ７を用いて結露した水を前記熱風送風口Ｃ２内に飛ばし、前記熱風送風口Ｃ２から室外へ排出することができる。
【００２２】
上述をまとめると、本考案の単一遠心ファン空調装置は使用時にその効果及び目的を確実に達することができるため、本考案は優れた実用性を備えており、実用新案登録出願の要件を満たしているため、法に基づきここに出願を提出するものである。
【図面の簡単な説明】
【００２３】
【図１】本考案の最良の実施例の立体図である。
【図２】本考案の最良の実施例の透視図である。
【図３】本考案の最良の実施例の立体分解図である。
【図４】本考案の最良の実施例の局部立体図である。
【図５】本考案の最良の実施例の局部側面図である。
【図６】本考案の最良の実施例の実施例図一である。
【図７】本考案の最良の実施例の実施例図二である。
【図８】本考案の最良の実施例の実施例図三である。
【図９】本考案の最良の実施例の実施例図四である。
【図１０】本考案の別の最良の実施例の実施例図である。
【図１１】本考案の別の最良の実施例の断面図である。
【符号の説明】
【００２４】
Ａ        単一遠心ファン空調装置  
Ｂ        ファン
Ｂ１      第一インペラ
Ｂ２      第二インペラ
Ｂ３       エアダクト
Ｂ４      インペラ仕切板
Ｂ５       固定装置
Ｂ６      風隔離板
Ｂ７      水飛ばしファン
Ｃ        筐体
Ｃ１      冷風送風口
Ｃ１１    スイングルーバー
Ｃ２      熱風送風口
Ｃ２１    排風管
Ｃ３      後方カバー
Ｃ４      第一吸入口
Ｃ５      第二吸入口
Ｃ６      集水部
Ｃ７      台座
Ｃ８      キャスター
Ｃ９      接水部
Ｄ        冷却循環システム
Ｄ１      コンプレッサ
Ｄ２      冷却端
Ｄ３      放熱端
Ｅ        モーター
Ｅ１      水飛ばしモーター
Ｅ２      汲み出しモーター
【図１】
0003140145.tif 000003
【図２】
0003140145.tif 000004
【図３】
0003140145.tif 000005
【図４】
0003140145.tif 000006
【図５】
0003140145.tif 000007
【図６】
0003140145.tif 000008
【図７】
0003140145.tif 000009
【図８】
0003140145.tif 000010
【図９】
0003140145.tif 000011
【図１０】
0003140145.tif 000012
【図１１】
0003140145.tif 000013